(57)【特許請求の範囲】
【請求項１】
燃焼用空気が送られる風胴１内に、多数の小径空気孔２を側壁に設けた有底筒形のポット３を装着し、
該ポット３に燃料を供給する燃料ポンプ４と燃料パイプ５とに連なる送油ノズル６の先端を、ポット３の底面の上方のポット３内に位置させるとともに、前記送油ノズル６はポット３の底面よりも上方のポット３の側壁から下り勾配で設置し、
前記ポット３の側壁からポット３の底面の上方の空間に点火ヒータ１０を配置した構造の石油燃焼器のバーナにおいて、
前記ポット３の底面は、燃料が気化する水平な平面部３ａと、ポット３の全周の側壁からその側壁よりも低位の平面部３ａの外縁に向けた傾斜面３ｂとで形成し、
前記平面部３ａの上方に前記点火ヒータ１０を位置させながら、ポット３底面の平面部３ａの位置をポット３底面の外周に対し送油ノズル６側に偏心して形成し、
該送油ノズル６は偏心した平面部３ａによって急斜面となった傾斜面３ｂの上方に配置されていることを特徴とするポット式石油燃焼器のバーナ構造。
【請求項２】
前記ポット３の底面の傾斜面３ｂと平面部３ａとの間には段部３ｃを形成し、傾斜面３ｂよりも平面部３ａを低くした請求項１記載のポット式石油燃焼器のバーナ構造。
【請求項３】
前記平面部３ａには不燃性繊維シート７を装着した請求項１もしくは請求項２記載のポット式石油燃焼器のバーナ構造。
【発明の詳細な説明】
【０００１】
【産業上の利用分野】
この発明は、液体燃料を燃焼させて暖房に利用する温風暖房機のポット式バーナの構造に関するものである。
【０００２】
【従来の技術】
ポット式石油燃焼器は一般的に円筒形の風胴に接続された燃焼用空気送風機より燃焼用空気が送り込まれる。風胴内には有底筒形のポットを設け、側壁には小径空気孔を多数配置し、その小径空気孔の位置と大きさにより制御された燃焼用空気がポット内に供給される。
【０００３】
一方、燃焼に必要な燃料は燃料ポンプにより供給され、燃料ポンプに接続した燃料パイプを通して、風胴内を貫通するようにしてポット側壁からポット内部に伸ばした送油ノズルよりポット底面に供給されている。
【０００４】
ポットに供給された燃料は燃焼熱で高温となっているポット底面で気化ガス化し、ポット側壁の小径空気孔から供給される燃焼用空気によって気化ガスの一部が燃焼しながら混合ガスを作り、発生した燃焼ガスと残りの混合ガスはポット上部の燃焼室で完全燃焼するものである。
【０００５】
ところで燃料の気化部であるポットの底面においては、燃焼中でも燃料ポンプより新しい燃料が供給されるため燃料である灯油は液体の状態で存在する。このため一般的にはポット底面は中心部を最も低く形成し、ポット側壁から中心部に向けて傾斜面を持つ構造であり、この中心部に平面部を持つものもある。
【０００６】
【発明が解決しようとする課題】
そして、このような構造の場合、燃焼中液体の状態で存在する部分は燃焼状態の大小すなわち燃料の供給量により変化するが、おおむね燃料供給部である送油ノズル側の傾斜面と中心部の平面部である。燃料の気化は液体の表面とりわけ液体の状態を維持している外周部で活発に行われている。さらに、このときの外周部では燃料中の揮発しにくい成分、タール分が堆積することとなり、傾斜面に連続する送油ノズル側のポット内部側壁下端部はポット中央部よりも若干温度が低くなることもあって、最もタール分が堆積する場所となる。このタール分の堆積は海綿状をなし、燃料を吸収し、バーナの着火時及び消火時に悪臭を発する原因となったり、消火操作時には消火時間を長くする悪影響を与えることとなる。
【０００７】
また、最近ポット底面の温度を監視するために温度センサーを取付けたポット式バーナの構造を提供するものがある。これはバーナを構成するポット底面の温度を監視することにより点火までの予熱時間を定めたり、ポット内の燃焼状態を監視する目的でポット底面外側に設置されている。ポット底面における気化部の位置と大きさは、燃焼中のバーナ部の温度を決定する上で重要な要素であり、それら気化部を安定させるような構造が強く求められてきた。例えば、バーナの取付けが傾いたり、あるいは製品の設置場所が傾いたりすることにより、ポット底面の気化部が変動してバーナ部に取付けられたセンサー部の温度が変動することが最近わかってきた。
【０００８】
【課題を解決するための手段】
この発明は上記課題を解決するもので、燃焼用空気が送られる風胴１内に、多数の小径空気孔２を側壁に設けた有底筒形のポット３を装着し、該ポット３に燃料を供給する燃料ポンプ４と燃料パイプ５とに連なる送油ノズル６の先端を、ポット３の底面の上方のポット３内に位置させるとともに、前記送油ノズル６はポット３の底面よりも上方のポット３の側壁から下り勾配で設置し、前記ポット３の側壁からポット３の底面の上方の空間に点火ヒータ１０を配置した構造の石油燃焼器のバーナにおいて、前記ポット３の底面は、燃料が気化する水平な平面部３ａと、ポット３の全周の側壁からその側壁よりも低位の平面部３ａの外縁に向けた傾斜面３ｂとで形成し、前記平面部３ａの上方に前記点火ヒータ１０を位置させながら、ポット３底面の平面部３ａの位置をポット３底面の外周に対し送油ノズル６側に偏心して形成し、該送油ノズル６は偏心した平面部３ａによって急斜面となった傾斜面３ｂの上方に配置されているポット式石油燃焼器のバーナ構造である。
【０００９】
また、前記ポット３の底面の傾斜面３ｂと平面部３ａとの間には段部３ｃを形成し、傾斜面３ｂよりも平面部３ａを低くした構造とすることにより燃料の気化部の特定ができた。
【００１０】
さらに、前記平面部３ａには不燃性繊維シート７を装着した構造とすることにより、液体状の燃料を一定の位置で保持することができるようになり気化部の特定がさらにできるようになった。
【００１１】
【作用】
この発明では、先端をポット３内に伸ばした送油ノズル６から供給された燃料は、送油ノズル６に近づけた平面部３ａによって送油ノズル６付近は急斜面となっているからすみやかに平面部３ａに流れ、燃料の気化部分が平面部３ａに特定できるようになった。また、送油ノズル６側の傾斜面３ｂは従来のものに比べ急な角度となったため、平面部３ａに液体の状態で存在する燃料はポット側壁に向けて登りながら拡散することはほとんどなくなり、送油ノズル６側のポット３内部側壁下端部のタール堆積が抑制できた。
【００１２】
また、傾斜面３ｂと平面部３ａとの間に段部３ｃを形成することにより、平面部３ａの液体の状態の燃料が傾斜面３ｂに向けて拡散できなくなり、バーナ部の傾きに対して平面部３ａに存在する燃料が容易に傾斜面３ｂに変動することがなくなった。これによりポット３底面における気化部の特定ができるようになった。
【００１３】
また、不燃性繊維シート７を平面部３ａに装着することにより、液体状の燃料を平面部３ａの位置で保持することができるようになり、バーナ部の傾きに対する燃焼性能も安定した。
【００１４】
【実施例】
実施例を示す図によってこの構成を説明すると、１は燃焼用空気が送られる風胴、３は風胴１内に設置された有底筒形のポット、８はポット３に燃焼用空気を供給する燃焼用空気送風機、２は風胴１から燃焼用空気が供給できるようにポット３の側壁に設けた多数の小径空気孔であり、燃焼用空気送風機１５によって圧送された燃焼用空気は、小径空気孔２の位置と大きさにより適切に制御されてポット３内に供給される。
【００１５】
９はポット３に供給する燃料を貯える油タンク、４は油タンク９の上面に取付けた電磁ポンプで構成する燃料ポンプ、５はポット３と燃料ポンプ４との間に設けた燃料パイプ、６は燃料パイプ５の先端に取付けた送油ノズルであり、風胴１内を貫通するようにしてポット３側壁からポット３内部に伸ばした送油ノズル６よりポット３底面に供給されている。
【００１６】
１０はポット３の側壁からポット３の底面と間隔を介して取付けた点火ヒータ、１１はポット３内に設置された助燃部材であり、ポット３内に供給された燃料は、点火ヒータ１０や燃焼熱で高温となっているポット３底面で気化し、初期燃焼を開始しながら小径空気孔２から供給される燃焼用空気と助燃部材１１の働きで混合し、ポット３の上方で完全燃焼するものである。
【００１７】
ここで燃料の気化部であるポット３の底面に着目すると、３ａはポット３底面の平面部、３ｂは平面部３ａの外方の傾斜面であり、燃焼中においても送油ノズル６より新しい燃料が供給されるため、燃料である灯油は液体の状態で存在している。このため、従来まではポット３の底面は中心部に最も低い平面部３ａを形成し、ポット３の側壁から平面部３ａに向けて長い傾斜面３ｂを持つ構造とすることが一般的で、傾斜面３ｂ部分と平面部３ａ部分は燃料が液体の状態で存在しここでも燃料の気化がおこなわれていた。
【００１８】
燃料が液体のまま存在する気化部の外周部では燃料の気化が最も活発におこなわれるため、燃料中の揮発しにくい成分、タール分が堆積しやすくなる。結果的に送油ノズル６側のポット３内部側壁下端部に最も多くのタール分が堆積することが多くなり、着火時、消火時の悪臭の原因となったり、消火時間を長くするなどの悪影響を与えることとなった。
【００１９】
上記の問題点を解決するこの発明は、ポット３底面の平面部３ａの位置をポット３底面の外周に対し送油ノズル６側に偏心して形成することを特徴としている。送油ノズル６から供給された燃料は送油ノズル６に近づけた平面部３ａに向けて吹き出すから、傾斜面３ｂに滴下した燃料はすみやかに平面部３ａに流れ、燃料の気化部分が平面部３ａに特定できるようになった。
【００２０】
また、送油ノズル６側の傾斜面３ｂは、従来のものに比べ急な角度となったため、燃料がすみやかに平面部３ａに向けて流れるだけでなく、平面部３ａに液体の状態で存在する燃料はポット３側壁に向かって登りながら拡散することはほとんどなくなり、ポット３内でも温度が低い送油ノズル６側のポット３内部側壁下端部のタール堆積が抑制できた。また、タールの堆積を抑制することにより、消火時間の短縮につながり、また長期間の使用にわたって点火時、消火時の悪臭を低減するポット式石油燃焼器を提供することができるようになった。
【００２１】
また、１２は温度センサーであり、バーナを構成するポット３底面の温度を監視することにより点火までの予熱時間を定めたり、ポット３内の燃焼状態を監視する目的でポット３底面外側に設置されている。ポット３底面における気化部の位置と大きさは、燃焼中のバーナ部のセンサー温度を決定する上で重要な要素であり、それら気化部を特定させるような構造が強く求められてきた。例えば、バーナの取付けが傾いたり、あるいは製品の設置場所が傾いたりすることにより、ポット３底面の気化部が変動してバーナ部のセンサー温度が変動することが最近わかってきた。
【００２２】
本発明の他の実施例では、前記タール堆積の問題点とこの問題点を同時に解決するものであり、３ｃはポット３の底面の傾斜面３ｂと平面部３ａとの間に形成した段部である。該段部３ｃは、傾斜面３ｂよりも平面部３ａを低くした構造としており、平面部３ａの液体の状態の燃料は、傾斜面３ｂに向けて拡散できなくなり、バーナ部の傾きに対して平面部３ａに存在する燃料が容易に傾斜面３ｂに変動することがなった。これにより、ポット３底面における気化部を特定できるようになった。
【００２３】
このことは、タール分の堆積を抑制すると同時に、ポット３底面の外側に取付けられた温度センサー１２の温度の安定につながり、ポット３内の燃焼状態を監視できる高い信頼性のある温度制御を実現させた。
【００２４】
また、さらに本発明の他の実施例において、７は平面部３ａ内に装着した不燃性繊維シートであり、不燃性繊維シート７を気化部となる平面部３ａに装着することにより、段部３ｃは不燃性繊維シート７の位置決め用の段部とすることした。このように平面部３ａに設けた不燃性繊維シート７は液体状の燃料を平面部３ａ内の位置で保持することができようになり、バーナ部の傾きに対する気化部の特定がさらに確実なものになり、燃焼性能も安定した。このことは、タール分の堆積の抑制、温度センサー１２の温度の安定作用にさらに貢献するものである。
【００２５】
【発明の効果】
上記のようにこの発明では、ポット式バーナにおけるポット３底面の平面部３ａの位置をポット３底面の外周に対し送油ノズル６側に偏心して形成した構造としたから、送油ノズル６側のポット３内部側壁下端部に堆積するタール分を抑制できるようになり、消火時間の短縮、また長期間の使用にわたって点火時、消火時の悪臭を低減できるポット式石油燃焼器を提供することができた。
【００２６】
また、ポット３の底面の傾斜面３ｂと平面部３ａとの間には段部３ｃを形成し、傾斜面３ｂよりも平面部３ａを低くした構造としたから、バーナの傾き等に対して前記の効果を積極的に維持すると同時に、バーナ部の温度が安定して検知できるポット式石油燃焼器のバーナを提供できるようになった。これは、燃焼状態を監視する温度制御安全装置において、信頼性を一段と高める結果をもたらした。
【００２７】
また、平面部３ａには不燃性繊維シート７を装着した構造としたから、さらに気化部の特定ができて燃焼性能も安定し、前記の２つの効果を一層高めたポット式石油燃焼器を提供できるようになった。
【図面の簡単な説明】
【図１】この発明の実施例を示すポット式石油燃焼器の断面図である。
【図２】この発明の実施例を示すバーナ部分の断面図である。
【符号の説明】
１    風胴
２    小径空気孔
３    ポット
３ａ  ポット底面の平面部
３ｂ  傾斜面
４    燃料ポンプ
５    燃料パイプ
６    送油ノズル
７    不燃性繊維シート
【図１】
0003758593.tif 000002
【図２】
0003758593.tif 000003